【手続補正書】
【提出日】平成20年8月28日(2008.8.28)
【手続補正１】
【補正対象書類名】明細書
【補正対象項目名】発明の名称
【補正方法】変更
【補正の内容】
【発明の名称】カートリッジを装填した装置を使った集中管理式自動販売機
【手続補正２】
【補正対象書類名】明細書
【補正対象項目名】特許請求の範囲
【補正方法】変更
【補正の内容】
【特許請求の範囲】
【請求項１】  頂部と、底部と、対向する側壁と、開放前部とを有する外側胴部と、
該胴部内に入れ子式に配置し、前面周囲縁部にそって該胴部と連結したプラスチック製内部ライナーであって、充填区画室を規定するライナーと、
前記胴部とライナーとの間に挟まれた絶縁性材料と、
前記開放前部を開閉可能に閉鎖し、フロントパネルと、前記前面周囲縁部付近で前記胴部及びライナーと係合する周囲フランジとを備える扉と、
前記充填区画室内に着脱可能に保持される少なくとも一つの製品マガジンと、
前記マガジン内に設けた、内部に格納されている様々な製品を選択的に放出するための手段と、
該充填区画室内に設けた、該放出するための手段と係合可能な駆動手段と、
使用者が入力した信号に応答して該駆動手段を作動させるための制御手段と、
該信号を発生させるための手段とを含む、自動販売機。
【請求項２】  前記マガジンが、実質的に同様な寸法の複数の製品を保持するような形状及び寸法の少なくとも一つの棚であって、前記フロントパネルから離隔した開口部を有する棚を含み、
前記放出するための手段が、該開口部とは反対側のマガジン後部から係合可能な駆動軸を含む、請求項１に記載の自動販売機。
【請求項３】  前記駆動手段が、前記ライナーに接して載置された少なくとも一つの電気機械的装置を含み、該電気機械的装置は、マガジンを充填区画室に配置すると、該駆動軸と係合するように配置される、請求項２に記載の自動販売機。
【請求項４】  前記電気機械的装置がモーターを含む、請求項３に記載の自動販売機。
【請求項５】  前記放出するための手段が、該軸に連結された螺旋状ラックを含む、請求項４に記載の自動販売機。
【請求項６】  前記放出するための手段が、該軸に連結されたゲートを含み、前記開口部を選択的に閉鎖するような形状、寸法、配置である、請求項４に記載の自動販売機。
【請求項７】  前記棚が、内に入っている製品を前記ゲートに向かって移動させるように配置された傾斜した製品支持床を備える、請求項６に記載の自動販売機。
【請求項８】  前記ゲートが、
前記軸に対して半径方向に接続する第一バリアと、
該第一バリアとは反対側に、軸方向遠位に離隔して、該軸に対して半径方向に接続する第二バリアとを備え、
該軸を１８０度回転させると、該第一バリアが下がって、前記製品のうち最初の製品を前記棚から放出すると共に、該最初の製品のすぐ後ろにある次の製品は、該第二バリアによって棚内に保持される、請求項７に記載の自動販売機。
【請求項９】  暗号化カードリーダ／ライタと、
該カードリーダ／ライタによって暗号化カードにデータを読み書きするための手段と、
該カードリーダ／ライタによって支払いを受領するための手段と、
販売取引をモニターし、その記録を付けるための手段と、
該カードリーダ／ライタを介してプログラム指示を受けるための手段と、
該カードリーダ／ライタを介して前記記録を出力するための手段とをさらに備える、請求項１に記載の自動販売機。
【請求項１０】  前記カードリーダ／ライタが、メモリーチップ搭載カードとインターフェースするように形成されている、請求項９に記載の自動販売機。
【手続補正３】
【補正対象書類名】明細書
【補正対象項目名】００３２
【補正方法】変更
【補正の内容】
【００３２】
四つのマガジン７７それぞれには、３５５ml（１２オンス）の飲料缶が、ジグザグの通路を持つ一つの棚７８を形成する曲がりくねったパターンで、２４個まで手前から奥へと並べられている。この通路は方向が互い違いの五つ部分を有し、各部分の製品を支持する床が傾斜しているため、缶は分与ゲート機構８０に向かって転がって行く。ゲートの先では、マガジン底部に設けた開口部８１によって、分与された缶が取出しポケット９へと落下するようになっている。このゲート機構８０は、マガジンの後壁下方にあるカップリング８３と連結する水平シャフト８２を含んでいる。このカップリングは、最初の販売機における螺旋状ラックのシャフトと共に使用したものと同様のものであり、モーター組立体６０の一つにおける対応するカップリングと係合する形状及び寸法となっている。シャフトの反対側の端部には、ファン形状の第一バリアがシャフトの片側で垂直に設けられており、シャフトが回転すると、この第一バリアは、通路内の最も下にある缶８５の通路を横切って半径方向に立ち上がる。シャフト８２の反対側にはファン形状の第二ゲート８６が第一バリア８４とは半径方向反対側に設けられており、缶の直径に略相当する距離だけ第一バリアから軸方向に離隔している。従って、シャフト８２を１８０度回転させることによって第一バリアを下げると、第二バリアが最初の缶８５とその直ぐ後ろの次の缶８７との間に立ち上がる。最初の缶が開口部８１を通してマガジンから転がり出すと、次の缶はシャフトが完全に一回転するまで第二バリア８６に抑えられている。シャフトが完全に一回転すると第二バリア８６は傾斜床７９よりも下に下がる。次の缶８７は、今度は上昇した第一バリア８４によって係止保持されるまで転がって行く。マガジン内に残っている全ての缶は、引力に引かれて、曲がりくねった通路全体に渡って一つ分づつ下方へ転がる。この機構はこれで次の缶を放出する状態となる。飲料缶販売機７５には、角度付き板２８の下方に載置したコンプレッサ８８、ライナーの天井部分９０の上に接して載置した冷却コイル８９、及び背面板２０の内側に接して載置されたコンデンサ９１を含む冷却用組立体を設けても良い。
【手続補正４】
【補正対象書類名】明細書
【補正対象項目名】００４０
【補正方法】変更
【補正の内容】
【００４０】
キャビネットの前部右側には、使用者が自分の選択したものをダイアルするのに使用することができるキーパッド２０８と、銀行カードでの支払いを受けたり、いわゆる「スマートカード」とデータの入出力を行なったりするためのカード挿入孔２０９と、現金での支払いを受けるための硬貨挿入口２１０とがある。扉の下方部分にある大きな開口部２１１は取出しポケット２１２に通じており、このポケットに購入した商品が落下してくる。キャビネットの裏側下方部分には、コンプレッサ２１３とコンデンサ２１４を含む冷却ユニットがある。背板２１５には、電子モジュール２１６及び一連のモーター組立体２１７が取付けられている。扉２０４に載置したライト２１８は装置全体を照らす。カートリッジは、三つ以上の商品保持トレー２１９、２２０、２２１と、三角形の現金受容箱２２２とを備えている。この現金受容箱はカートリッジの基部を形成し、その下方の横棚部はスライド２０７上に載置されている。トレーは現金受容箱の傾斜頂部の上に上下に重ねられている。トレーは下方に傾斜した床と、テーパー付き前面２２４とを備え、下面の前縁部を突き出した状態で垂直方向に並んでおり、この下面前縁部が用意した商品のための分与開口２２５を形成している。トレーは略同じ幅となっている。従って、またトレーが傾斜しているため、各トレー下面の後方部分２２６も突き出している。一番上のトレー２１９をシールするためにカバー２２３を使用する。このカバー、トレー、及び現金受容箱は、それぞれの側縁部に沿った突起部２２７の組と係合するネジによって互いに固定されている。
【手続補正５】
【補正対象書類名】明細書
【補正対象項目名】００７２
【補正方法】変更
【補正の内容】
【００７２】
図５１〜図５３に、飲料缶分与機構の別の便利な実施態様を示す。この実施態様では、キャビネット４４４及び主マガジン４５５は、図１２に示した実施態様のものと基本的に同様である。キャビネットの前扉４５６を、頂縁ではなく底部４５７でヒンジ式に留めることによって、主マガジン４５５の上に補助マガジン４５８を載置するのに必要なスペースを確保している。この実施態様では、主マガジンの容量は１６缶であり、現金受容器４５９と、図４７及び図４８に示した形式のカム及びモーター機構４６１によって駆動される分与ゲート４６０とを備えている。主マガジンはスライドによって支承されているのではなく、まずマガジンの前面を水平とした状態で、傾動する角度付きバー４６２上に下部前角部を配置し、次いで移動板４６４の後端がカム及びモーター機構４６１と接触するまで、マガジンを矢印４６３で示す方向に上へ傾動させることによって設置されている。缶は、水平から約５度傾斜した三層のスライドに沿って転がる。マガジンへの充填は、頂部に設けたスロット開口４６５から行なう。この開口は、以下に説明するスライドゲートによって閉鎖されるものである。主マガジン４５５は、完全に再充填しても、持ち運び可能な補助マガジン４５８から供給するようにしてもよい。従ってサービスマンには、主マガジンを取り外して完全充填したものと交換するか、若しくは取外し可能な補助マガジン４８４を使って、主マガジンを再充填するのに必要なだけの缶を追加するかの選択肢がある。補助マガジン４５８の底部形状は、主マガジン頂部の形状と密接に嵌合する形状となっている。さらに補助マガジンの底部に設けた分与ゲート４６６は、二つのマガジンを完全に嵌合した時にしか開くことができない。主マガジンの充填開口４６５も補助マガジンの分与開口４６６も、互いに類似し嵌合する機構４６７、４６８によって作動するスライドゲートによって制御されている。この機構の詳細を図５２及び図５３に示す。各スライド板４６９は、前縁４７２付近に一対の長手溝４７０、４７１を備えている。第一溝４７０には、角度付きブラケット４７４によって対応するマガジンの前面に載置した錠４７３が係合している。この角度付きブラケットは、錠本体には取り付けられていないが、通常かんぬきを載置している軸に取付けられている。第一溝の前端に設けた拡大領域４７５は、錠４７６の回転する本体と係合するような形状及び寸法となっており、錠は、鍵を抜くと錠４７６の本体が図５３に示す位置にロックされるような向きとなっている。よってゲート４７９の移動を防止している。第二溝４７８は、他のマガジン錠の鍵４７７を通すような形状及び寸法となっている。この鍵も、ブラケット４７９によってマガジンの前面に載置されている。これで、どちらかのマガジンのスライドゲート４７９を開放するためには、両方のマガジンに各錠と適切に係合する鍵４７７を合わせなければならないことがわかる。この時点で、各錠の本体４７６を矢印４８０で示す方向に回転させてスライドゲート４６９を引出し、各マガジンの充填開口４６５及び分与開口４６６を開放することができる。容易に回転させることができるように、各錠本体に関連するハンドル４８１を設ける。補助マガジン４５８は、サービス本部で施錠された頂部蓋４８２を開けて再充填することができる。